(57)【要約】    【課題】  本考案は、１人でかつ簡単確実に骨接合用のプレートをネジ止めできる骨接合用プレートのためのネジホルダーを提供することにある。    【解決手段】  本考案に係る骨接合用プレートのためのネジホルダーＡは、ネジ止め式の骨接合用プレートＢにおける複数のネジ孔の全てに合致する位置にネジ保持部１０ａ〜１０ｅを有し、該上記のネジ保持部が、割ピン式の筒状体２０であって、その内部に複数に縦割分割された挟着片２１ａ〜２１ｄを形成してなり、複数のネジ保持部において、その下面が全て面一となるように連結して構成され、複数のネジ保持部が連結桿１１ａ〜１１ｅを介して環状に連結され、該連結桿から上方に拡開する延長腕１２ａ〜１２ｅが立設され、該延長腕の端部を連結する環状把持体１３が形成されてなるものである。    【選択図】        図２
0003106821.tif 000002
【実用新案登録請求の範囲】
【請求項１】
ネジ止め式の骨接合用プレートにおける複数のネジ孔に合致する位置にネジ保持部を有することを特徴とする骨接合用プレートのためのネジホルダー。
【請求項２】
ネジ保持部が、筒状体であることを特徴とする請求項１に記載の骨接合用プレートのためのネジホルダー。
【請求項３】
筒状体が、割ピン式であることを特徴とする請求項２に記載の骨接合用プレートのためのネジホルダー。
【請求項４】
筒状体が、その内部に複数に縦割分割された挟着片を形成してなることを特徴とする請求項２又は３に記載の骨接合用プレートのためのネジホルダー。
【請求項５】
ネジ止め式の骨接合用プレートにおける複数のネジ孔の全てに合致する位置にネジ保持部を有することを特徴とする骨接合用プレートのためのネジホルダー。
【請求項６】
複数のネジ保持部において、その下面が全て面一となるように連結して構成されていることを特徴とする請求項１〜５のいずれか１項に記載の骨接合用プレートのためのネジホルダー。
【請求項７】
複数のネジ保持部が連結桿を介して環状に連結され、該連結桿から上方に拡開する延長腕が立設され、該延長腕の端部を連結する環状把持体が形成されてなることを特徴とする請求項１〜６のいずれか１項に記載の骨接合用プレートのためのネジホルダー。
【請求項８】
ネジホルダーの下面に、プレート保持用突起を設けたことを特徴とする請求項１〜７のいずれか１項に記載の骨接合用プレートのためのネジホルダー。
【考案の詳細な説明】
【技術分野】
【０００１】
本考案は、骨接合用プレート（以下、単に「プレート」と略称する場合がある。）のためのネジホルダーに関し、主として頭蓋骨の一部を切除し、所用の手術を行った後、切除した頭蓋を元に戻して周囲の頭蓋骨に固定する骨接合用プレートをネジ止めする際に使用するネジホルダーに関する。
【背景技術】
【０００２】
従来において、骨接合用プレートをネジ止めするには、骨接合用プレートを片手で押さえながら、もう一方の手にドライバーを持ち、このドライバーの先端に他の人からネジを載せもらってネジ止めする方法が行われていた。
【考案の開示】
【考案が解決しようとする課題】
【０００３】
しかしながら、上記の従来のネジ止め方法は、２人以上の人手を必要とし、かつ、ドライバーにネジを載せる作業が細かい作業であり、ドライバーに載せたネジをプレートの所定のネジ孔に具合良くねじ込むには熟練した技術を要するものであった。しかも、ドライバーの先端に載せたネジが脱落するおそれがあり、脱落したネジは不衛生であるため、手術に使用できないという不便が生ずる。
【０００４】
そこで、本考案者は、鋭意研究を重ねた結果、プレートのネジ孔に合致するようにネジを保持するホルダーを用意して、該ホルダーにネジを取着し、プレートにネジホルダーをあてがってネジ止めすれば、１人でかつ簡単確実にプレートをネジ止めできることを見出した。
【課題を解決するための手段】
【０００５】
本考案に係る骨接合用プレートのためのネジホルダーは、ネジ止め式の骨接合用プレートにおける複数のネジ孔に合致する位置にネジ保持部を有することを特徴とするものである。
【０００６】
また、上記のネジ保持部が、筒状体としてもよく、また硬質材料を使用するときは、割ピン式の筒状体としてもよく、この割ピン式の筒状体が、その内部に複数に縦割分割された挟着片を形成してなるように構成してもよい。
【０００７】
さらに、骨接合用プレートのためのネジホルダーを、ネジ止め式の骨接合用プレートにおける複数のネジ孔の全てに合致する位置にネジ保持部を有するように構成してもよい。
【０００８】
さらにまた、複数のネジ保持部において、その下面が全て面一となるように連結して構成されるようにしてもよい。
【０００９】
また、複数のネジ保持部が連結桿を介して環状に連結され、該連結桿から上方に拡開する延長腕が立設され、該延長腕の端部を連結する環状把持体が形成されてなるように構成してもよい。
【００１０】
さらにまた、ネジホルダーの下面に、プレート保持用突起を設けた構成としてもよい。
【００１１】
以上のように骨接合用プレートのネジホルダーを構成すると、該ホルダーは、プレートのネジ孔に合致するようにネジを保持することができる。
【考案の効果】
【００１２】
本考案に係る骨接合用プレートのネジホルダーは、上記のような構成であるため、該ホルダーにネジを取着し、プレートにネジホルダーをあてがってネジ止めすることができるので、１人でかつ簡単確実にプレートをネジ止めできるので、極めて便利であり、従来の不都合が解消される。しかも、ネジの脱落が防止できるので効率よく作業ができる。
【考案を実施するための最良の形態】
【００１３】
以下に、本考案の好適な実施例を添付の図面に基づいて詳細に説明する。
【００１４】
図１は本考案に係る骨接合用プレートのネジホルダーの実施例を示す図であって、上方から見た斜視図であり、図２は前記ネジホルダーを下方から見た斜視図であり、図３は図１のＩＩＩ−ＩＩＩ線断面図であり、図４は図３の断面図においてネジを保持した状態を示す断面図であり、図５は骨接合用プレートの斜視図であり、図６はネジホルダーにプレートを取り付けた状態を下方から見た斜視図であり、図７は前記ネジホルダーを使用して骨接合用プレートを頭蓋骨に取り付ける状態を示す概略斜視図である。
【００１５】
図１〜図３において、Ａは本実施例に係る骨接合用プレートのためのネジホルダーを示している。このネジホルダーＡには、その５箇所にネジ保持部１０ａ〜１０ｅ（総称する場合は１０）が設けられており、図５に示すネジ止め式の骨接合用プレートＢのネジ孔ｂ１〜ｂ５の全てにそれぞれ合致するように形成されている。なお、骨接合用プレートのネジ孔の全てにそれぞれ合致するようにネジ保持部を設けなくてもよく、ネジ孔の１つおきや２つおきにネジ保持部を設ける構造にしてもよい。
【００１６】
前記ネジ保持部１０は、割ピン式の筒状体２０を備えており、この筒状体２０の内部には、４つに縦割分割された挟着片２１ａ〜２１ｄが形成されている。この挟着片２１ａ〜２１ｄにより、図４に示すように、ネジＣが挟着保持されるようになっている。なお、筒状体は、本実施例のような割ピン式のものに限らず、円筒状又は角筒状のものでもよい。また、挟着片を形成せず、筒状体のみでネジを保持できる構成にしてもよい。
【００１７】
また、上記ネジホルダーＡにおけるネジ保持部１０ａ〜１０ｅは、その下面が全て面一となるように連結して構成されており、骨接合用プレートＢをネジ保持部１０の下面に、ネジ孔ｂ１〜ｂ５とネジ保持部１０ａ〜１０ｅとを合致させてピッタリとあてがうことができるようになっている。本実施例においては、ネジホルダーＡの下面にプレート保持用突起１４を設けており、プレートＢに設けられた係合穴ｂ’と係合して、図６に示すようにネジホルダーＡの下面にプレートＢが保持できるようになっている。なお、必ずしもこのプレート係合用突起１４を設ける必要はなく、プレートＢをネジＣに引っ掛けるようにしてネジホルダーＡにプレートＢを保持させてもよい。
【００１８】
ネジ保持部１０ａ〜１０ｅの連結は、連結桿１１ａ〜１１ｅによりなされており、連結桿１１ａ〜１１ｅを介して、ネジ保持部１０ａ〜１０ｅが環状になるように連結されている。そして、この連結桿１１ａ〜１１ｅから上方に拡開する延長腕１２ａ〜１２ｅが立設され、この延長腕１２ａ〜１２ｅの端部を架け渡すように連結する環状把持体１３が形成されている。この環状把持体１３は、これを把持してネジホルダーＡを操作することができる。
【００１９】
図７は、上記ネジホルダーＡを使用して骨接合用プレートＢを取り付ける状態を示しており、ネジホルダーＡのネジ保持部１０ａ〜１０ｅにネジＣを嵌め込み、切除後に元に戻した頭蓋Ｄと周囲の頭蓋骨Ｅとの切離線Ｆを跨ぐように骨接合用プレートＢをあてがい、その上に、ネジＣを嵌め込んだネジホルダーＡを骨接合用プレートＢのネジ孔ｂ１〜ｂ５とネジ保持部１０ａ〜１０ｅとが合致するようにあてがって、各ネジＣをドライバーによりねじ込み、頭蓋Ｄを周囲の頭蓋骨Ｅに固定する。なお、ネジホルダーＡのネジ保持部１０ａ〜１０ｅに骨接合用プレートＢを、ネジ孔ｂ１〜ｂ５を合致させながらあてがってネジＣを嵌め込んでネジホルダーＡに骨接合用プレートＢを取着し、このネジホルダーＡが取着された骨接合用プレートＢを、切除後に元に戻した頭蓋Ｄと周囲の頭蓋骨Ｅとの切離線Ｆを跨ぐようにあてがって、各ネジＣをドライバーによりねじ込み、頭蓋Ｄを周囲の頭蓋骨Ｅに固定するようにしてもよい。
【００２０】
以上のように本実施例に係る骨接合用プレートのネジホルダーＡを構成すると、該ホルダーＡは、ネジ保持部１０ａ〜１０ｅにより、プレートＢのネジ孔ｂ１〜ｂ５に合致するようにネジを保持することができるので、１人でかつ簡単確実にプレートＢを所定の箇所にネジ止めできるので、極めて便利であり、従来の不都合が解消される。
【図面の簡単な説明】
【００２１】
【図１】本考案に係る骨接合用プレートのネジホルダーの実施例を示す図であって、上方から見た斜視図である。
【図２】前記ネジホルダーを下方から見た斜視図である。
【図３】図１のＩＩＩ−ＩＩＩ線断面図である。
【図４】図３の断面図においてネジを保持した状態を示す断面図である。
【図５】骨接合用プレートの斜視図である。
【図６】ネジホルダーにプレートを取り付けた状態を下方から見た斜視図である。
【図７】前記ネジホルダーを使用して骨接合用プレートを頭蓋骨に取り付ける状態を示す概略斜視図である。
【符号の説明】
【００２２】
Ａ・・・・骨接合用プレートのためのネジホルダー
１０ａ〜１０ｅ（１０）・・・ネジ保持部
２０・・・割ピン式の筒状体
２１ａ〜２１ｄ・・・挟着片
１１ａ〜１１ｅ・・・連結桿
１２ａ〜１２ｅ・・・延長腕
１３・・・環状把持体
１４・・・プレート保持用突起
Ｂ・・・・骨接合用プレート
ｂ１〜ｂ５・・・ネジ孔
ｂ’・・・係合穴
Ｃ・・・・ネジ
Ｄ・・・・切除後に元に戻した頭蓋
Ｅ・・・・非切除の周囲の頭蓋骨
Ｆ・・・・切離線
【図１】
0003106821.tif 000003
【図２】
0003106821.tif 000004
【図３】
0003106821.tif 000005
【図４】
0003106821.tif 000006
【図５】
0003106821.tif 000007
【図６】
0003106821.tif 000008
【図７】
0003106821.tif 000009